(57)【特許請求の範囲】
【請求項１】
廃棄物処分場を複数の区画に分割し、各区画において、当該区画の各埋立て層の埋立て作業を下り勾配となるように行った後、当該区画の廃棄物を覆って遮水シートを展開敷設し、前記各区画の側辺部に、前記下り勾配に沿って延長する排水路を設け、該排水路に前記遮水シートの側辺部分を係止しつつ廃棄物を覆って遮水シートを展開敷設して行き、
さらに、上層に廃棄物を埋め立てて行く際には、他の区画の廃棄物を遮水シートで覆った状態で当該区画の遮水シートを一時撤去して埋立て作業を下り勾配となるように行った後、再び当該区画の廃棄物を覆って遮水シートを展開敷設し、該遮水シートの側辺部分を前記排水路に係止しつつ廃棄物を覆って遮水シートを展開敷設してゆく作業を各区画において繰り返し、
前記遮水シート上に降り注いだ雨水を排除しつつ、上層に向かって順次廃棄物を廃棄物処分場内に埋め立てゆくことを特徴とする廃棄物処分場における廃棄物の埋立て方法。
【請求項２】
下り勾配に沿った上流側の区画に廃棄物が投棄されて埋立て層が形成され、これに隣接する下流側の区画との間に段差が生じた場合に、上流側の区画と下流側の区画に各々配置された前記排水路を前記段差に沿った連通路によって接続することにより、前記排水路の段差を解消することを特徴とする請求項１に記載の廃棄物処分場における廃棄物の埋立て方法。
【請求項３】
前記遮水シートとして、通気性を有する遮水シートを使用することを特徴とする請求項１又は２に記載の廃棄物処分場における廃棄物の埋立て方法。
【発明の詳細な説明】
【０００１】
【発明の属する技術分野】
この発明は、廃棄物処分場における廃棄物の埋立て方法に関する。
【０００２】
【従来の技術】
産業廃棄物や一般廃棄物を投棄する埋立型の廃棄物処分場は、自然の地形を利用したり地盤の掘削や盛土を行って造成された凹状の地盤の内部に、廃棄物を埋め立て貯留してゆくものである。このような廃棄物処分場によれば、埋め立てた廃棄物から浸出する汚水の地下浸透による環境汚染を防止するために、処分場の底面および斜面（全面）に予め遮水工を実施することが義務付けられている。また、かかる処分場底部の遮水工としては、従来より、経済性や遮水性の面から、例えば軟質の合成樹脂系あるいはゴム系の遮水シートを敷設する方法が、一般に採用されている。
【０００３】
そして、このような廃棄物処分場では、埋立て作業中に処分場に降り注いで廃棄物を浸透して浸出水となった雨水は、処分場の底部において遮水工の上面に配設された浸出水集排水管に集められ、この集排水管を介して処分場の外部に排出されることになる。
【０００４】
【発明が解決しようとする課題】
しかしながら、上記従来の埋立て作業中における雨水の処理方法によれば、処分場に降り注いだ雨水のほとんどを廃棄物を通過した浸出水として排出するものであるが、これを例えば河川等の周囲の環境に流出させるためには、前もって水処理をする必要があり、かかる大量の浸出水を処理するために、大規模な水処理施設を必要とすることになるという課題があった。
【０００５】
実際、このような水処理施設の建設費は、廃棄物処分場の建設費全体の多くの部分を占めており、かかる水処理施設の小規模化が望まれている。
【０００６】
そこで、この発明は、このような従来の課題に着目してなされたもので、処分場に降り注いだ雨水の水処理施設による処理量を低減しつつ、廃棄物を埋立てゆくことのできる廃棄物処分場における廃棄物の埋立て方法を提供することを目的とするものである。
【０００７】
【課題を解決するための手段】
上記目的を達成するために、この発明の請求項１に係る廃棄物処分場における廃棄物の埋立て方法は、廃棄物処分場を複数の区画に分割し、各区画において、当該区画の各埋立て層の埋立て作業を下り勾配となるように行った後、当該区画の廃棄物を覆って遮水シートを展開敷設し、前記各区画の側辺部に、前記下り勾配に沿って延長する排水路を設け、該排水路に前記遮水シートの側辺部分を係止しつつ廃棄物を覆って遮水シートを展開敷設して行き、さらに、上層に廃棄物を埋め立てて行く際には、他の区画の廃棄物を遮水シートで覆った状態で当該区画の遮水シートを一時撤去して埋立て作業を下り勾配となるように行った後、再び当該区画の廃棄物を覆って遮水シートを展開敷設し、該遮水シートの側辺部分を前記排水路に係止しつつ廃棄物を覆って遮水シートを展開敷設してゆく作業を各区画において繰り返し、前記遮水シート上に降り注いだ雨水を排除しつつ、上層に向かって順次廃棄物を廃棄物処分場内に埋め立てゆくことを特徴とする。
【０００８】
この発明による廃棄物処分場における廃棄物の埋立て方法によれば、廃棄物処分場に廃棄物を埋め立ててゆく際に、廃棄物処分場の各区画において、各埋立て層の埋立て作業が終了した後に、その区画の表面に遮水シートを展開敷設して廃棄物を覆うことになるので、廃棄物処分場に埋め立てられた廃棄物の表面の略全域を遮水シートによって覆うことができる。
そして、さらに上層に廃棄物を埋め立ててゆく際には、他の区画の廃棄物を遮水シートで覆った状態で、埋立て作業を行うべき区画の遮水シートを一時撤去して埋立て作業を行い、埋立て作業が終了した後に、再びその区画の表面に遮水シートを展開敷設して廃棄物を覆うことになる。
そして、このような作業を各区間において繰り返すことにより、廃棄物を上層に向かって廃棄物処分場の全域に亘って埋めてゆくことができる。
従って、廃棄物処分場に雨水が降り注いだ場合であっても、その雨水の大部分を廃棄物中に浸透させることになく、下り勾配の遮水シートの表面及び排水路に沿って流下させることができる。
また、遮水シートは、その側辺部分が排水路に係止されているので、強風等によって遮水シートが剥がされるのを防止できる。
【０００９】
また、この発明の請求項２に係る廃棄物処分場における廃棄物の埋立て方法は、請求項１に記載の廃棄物処分場における廃棄物の埋立て方法であって、下り勾配に沿った上流側の区画に廃棄物が投棄されて埋立て層が形成され、これに隣接する下流側の区画との間に段差が生じた場合に、上流側の区画と下流側の区画に各々配置された前記排水路を前記段差に沿った連通路によって接続することにより、前記排水路の段差を解消することを特徴とする。
【００１０】
この発明による廃棄物処分場における廃棄物の埋立て方法によれば、下り勾配の上流側の区画の埋立て層と下流側の区画の埋立て層との間に段差が生じた場合には、両区画の排水路間を連通路によって接続することにより、その段差を解消することができるので、排水路に沿って雨水をスムーズに流下させることができる。
【００１１】
さらに、この発明の請求項３に係る廃棄物処分場における廃棄物の埋立て方法は、請求項１又は２に記載の廃棄物処分場における廃棄物の埋立て方法であって、前記遮水シートとして、通気性を有する遮水シートを使用することを特徴とする。
【００１２】
この発明による廃棄物処分場における廃棄物の埋立て方法によれば、遮水シートとして、通気性を有する遮水シートを使用することにより、遮水シートによって覆われた廃棄物から発生するガスを容易に放出することができるとともに、外部の空気を内部に取り入れることができるので、好気性分解による安定化を阻害することなく廃棄物の埋立て作業を行ってゆくことができる。
【００１５】
【発明の実施の形態】
次に、この発明の好ましい実施の形態について、添付図面を参照しつつ詳細に説明する。この実施形態によれば、図１に示すように、自然ないしは人工的な法面１１を利用し、これの前方に盛土工により造成した主堰堤１２や継足堰堤１６との間に形成された凹状の地盤を廃棄物処分場１０として、これの内部に廃棄物１３を埋立て投棄してゆく際に、この発明の廃棄物の埋立て方法を採用したものである。
【００１６】
すなわち、この実施形態によれば、図２に概念図として示すように、廃棄物処分場１０を複数の区画２０に分割し、各区画２０において各埋立て層の埋立て作業が各々終了した後、当該区画２０の廃棄物１３を覆って遮水シート１４を速やかに展開敷設する。
【００１７】
したがって、廃棄物処分場１０に埋立てた廃棄物１３の表面の略全域が、遮水シート１４によって覆われることになる。
【００１８】
そして、さらに上層に廃棄物１３を埋立ててゆく際には、他の区画２０の廃棄物１３を遮水シート１４で覆った状態を保持したまま、埋立て作業を行うべき区画２０’の遮水シート１４を巻き上げることにより一時撤去して埋立て作業を行ない、かかる埋立て作業が完了した後、再び当該区画２０’の廃棄物１３を覆って遮水シート１４を展開敷設する。このような作業を各区画２０において繰り返してゆくことによって、廃棄物１３を、上層に向かって廃棄物処分場１０内の全域にわたって順次埋め立ててゆくことになる。
【００１９】
なお、この実施形態によれば、各廃棄物層は、その表面が主堰堤１２や継足堰堤１６に向かう例えば３〜５％程度の下り勾配となるように埋め立てられるとともに、かかる下り勾配の上流側に位置する区画２０から下流側に位置する区画２０に向けて順次埋立て作業が行われることにより、遮水シート１４の表面に降り注いだ雨水を、主堰堤１２や継足堰堤１６に向って容易に流下させることができるようになっている。
【００２０】
一方、この実施形態によれば、このようにして埋立て作業を行っている際に、降雨により廃棄物処分場１０内に雨水が降り注いだ場合でも、このような雨水の多くを速やかに処分場１０から排水して、雨水が廃棄物１３の内部に浸透するのを容易に防止することができる。
【００２１】
すなわち、埋め立てられた廃棄物１３は、その表面の略全域が遮水シート１４によって覆われているため、廃棄物１３への雨水の浸透が容易に遮断されるとともに、これによって遮水シート１４上に保持される雨水は、主堰堤１２や継足堰堤１６に向かう下り勾配によって、遮水シート１４の表面や図３において後述する各区画２０の側辺部分に設けた排水溝１５を介して、流下してゆくことになる。
【００２２】
そして、このようにして流下した雨水は、遮水シート１４により覆われた廃棄物１３と上記主堰堤１２や継足堰堤１６（図１及び図２参照）とのすり付け部分に滞留するとともに、かかるすり付け部分に設けられた、排水トンネル１７やマンホール１８への排水管路２５、排水溝１９や排水ポンプ２６等を介して、廃棄物処分場１０の外部に容易に排出することができるようになっている。
【００２３】
なお、この実施形態にかかる廃棄物処分場１０によれば、主堰堤１２を構成する盛土の内部には、マンホール１８やこれらのマンホール１８間の連絡管路２３、排水トンネル１７などの、処分場１０の外部と連通する雨水の排水施設が予め設けられており、これらの排水施設に流下してきた処分場１０内の雨水を投入して、これらの雨水を処分場１０から排除することになる。
【００２４】
また、図３は、各区画２０に埋め立てられた廃棄物１３を覆って、遮水シート１４を一時撤去可能に展開敷設した状況を示す斜視図である。ここで、遮水シート１４は、通気性を有する遮水シート１４として、例えばポリテトラフルオロエチレンを特殊延伸加工してつくられる延伸多孔質ポリテトラフルオロエチレンフィルムを、ポリエステル繊維からなるアウターファブリックとナイロンニットからなるインナーファブリックとで挟み込むことにより補強した三層構造からなるものを使用することができ、より具体的には、ゴア・ラミネートTM（ジャパンコアテックス製）を使用することができる。かかる遮水シート１４は、延伸多孔質ポリテトラフルオロエチレンフィルムが、１平方センチに１４億個もの極めて微細な孔（約０．２ミクロン）を有し、この結果、ポリテトラフルオロエチレンの際立って優れた耐候性、耐熱性、耐薬品製を保持しながら、同時に高い気体透過性を実現したものである。すなわち、延伸多孔質ポリテトラフルオロエチレンフィルムは、水接触角が大きい（撥水性が高い）ため、微細な孔を持ちながら毛細管現象が生じず、高い防水性を発揮して、相反する特性である、通気性と防水性を高いレベルで兼ね備えた素材であって、廃棄物１３のカバー材として好ましい素材であると考えられる。また、かかる遮水シート１４の強度は、延伸多孔質ポリテトラフルオロエチレンフィルムを挟み込むアウターファブリックとインナーファブリックの強度によって容易に調整することができる。
【００２５】
そして、このような遮水シート１４は、図３に示すように、矩形形状の各区画２０の側辺部分に沿って、主堰堤１２や継足堰堤１６に向かって下り勾配で延長する排水溝１５に設けられた、ボルト式あるいはフック式のシート固定具に、その一方の対向する側辺部分を係止するとともに、他方の対向する側辺部分を隣接する区画の遮水シート１４の側辺部分と重ね合わせることにより、各区画２０を覆うようにして展開敷設され、これによって、各区画２０における廃棄物１３の埋め立て作業を行う際には、当該区画２０を覆う遮水シート１４を例えば上流側に巻き上げることにより、容易に一時的に撤去しておくことができるとともに、当該区画２０における埋め立て作業が終了したら、容易にこれを巻き降ろして再び展開敷設させることができるようになっている。
【００２６】
すなわち、遮水シート１４は、例えば各区画２０の側辺部に設置された排水溝１５を重りとして一方の対向する側辺部分を係止するとともに、他方の対向する側辺部分を、各遮水シート１４の縁部に設けた係止孔２２を介して、隣接する各遮水シート１４同士でハトの目状に接合し、かつ、上流側の遮水シート１４の下流側端部に設けた舌部２６によって上記ハトの目状の接合部分を覆うことによって、雨水が上流側の遮水シート１４から下流側の遮水シート１４に向かって流下しやすい状態で展開敷設されている。
【００２７】
また、このようにして展開敷設される遮水シート１４の表面には、適宜箇所に、例えばコンクリート製の重石２４が載置されるとともに、遮水シート１４の表面に展開されることにより例えば作業員の歩行路を形成する巻き上げ可能なロール状の固定用桟橋２７が設けられ、これらによって遮水シート１４を廃棄物１３の表面に押さえつけることにより、上述の排水溝１５への係止やハトの目状の接合とともに、遮水シート１４が強風などによって剥がされるのを防止している。
【００２８】
なお、排水溝１５は、廃棄物１３の埋め立て作業に伴って、各区画２０の排水溝１５を一時取り外しながら順次上方に盛り換えて行くことになるが、かかる埋め立て作業によって、上流側の区画２０に設置された排水溝１５と下流側の区画２０に設置された排水溝１５との間に段差部が生じた場合には、図４に示すように、これらの段差部分の排水溝１５を段差に沿って設けた連通溝２８によって接続することにより、かかる排水溝１５における段差部分を解消して、降り注いだ雨水をスムースに流下させることができるようになっている。また、かかる段差解消法として、蛇腹式水路を用いることもでき、このような蛇腹式水路によれば、段差部分の高低差が一定でない場合でも、高低差の変化に容易に追随させることができる。
【００２９】
そして、この実施形態の廃棄物１３の埋立て方法によれば、処分場１０の底面に敷設された、廃棄物１３から浸出する汚水の地下浸透を防止するための遮水工としての底面遮水シート５０の表面を、複数の区画２０に分割し、各分割された区画２０に廃棄物１３を例えば１ｍ程度の層の厚さで埋立てて敷き均した後、各々の区画２０に埋め立てた廃棄物１３を遮水シート１４により覆ってゆく作業を行う。
【００３０】
なお、分割される区画の面積及び埋立てられる廃棄物１３の層の厚さは、一日で搬入され、埋め立てられる廃棄物１３の量を鑑みて適宜設計されるが、当該区画２０における一層分の廃棄物１３の埋め立て作業が、その日のうちに終了するように計画することが望ましい。
【００３１】
このようにして、埋め立てられた各区画２０の廃棄物１３は、埋立て作業が終了したら即座に遮水シート１４によって覆われてゆくことになるため、廃棄物１３の埋立て作業が行われていない間は、処分場１０内の廃棄物１３は、その略全域が遮水シート１４によって覆われることになるとともに、埋立て作業が行われている間でも、当該埋立て作業中の区画２０以外の廃棄物１３は略全域が遮水シート１４によって覆われることになる。したがって、処分場１０内に降り注いだ雨水は、その大部分が廃棄物１３中に浸透することなく遮水シート１４上を流下した後、排水施設を通じて処分場１０の外部に、特別な水処理を必要とすることなく排出されることになる。
【００３２】
一方、埋立てられて遮水シート１４によって覆われた各区画２０の廃棄物１３の上方には、さらに廃棄物１３が埋め立てられて、上層の廃棄物層を順次形成してゆくことになるが、かかる埋め立て作業は、他の区画２０の廃棄物１３を遮水シート１４で覆った状態を保持しつつ、当該埋め立て作業を行う区画２０を覆う遮水シート１４や必要に応じてこれの周囲に隣接する遮水シート１４のみを巻き上げることにより一時撤去して埋立て作業を行った後（図２，図４参照）、当該区画２０における上層の廃棄物１３を覆って遮水シート１４を再び展開敷設することにより行われる。
【００３３】
したがって、この場合においても、埋め立て作業が行われている区画２０’以外の廃棄物１３は、略全域が遮水シート１４によって覆われることになり、処分場１０内に雨水が降り注いだ場合でも、その大部分を廃棄物１３中に浸透させることなく、配水施設を通じて処分場１０の外部に排出することが可能になる。
【００３４】
そして、このような遮水シート１４を一時撤去して行う埋立て作業を、各区画２０において繰り返してゆくことにより、廃棄物１３が処分場１０内に順次埋め立てられてゆくことになるが、この実施形態によれば、このようにして遮水シート１４上に降り注いだ雨水を廃棄物１３中に浸透させることなく排除することにより、水処理の必要な、廃棄物１３から浸出する浸出水の量を大幅に低減することができる。
【００３５】
また、この実施形態では、特に、廃棄物１３を覆う遮水シート１４として、通気性を有する遮水シート１４を使用しているので、この遮水シート１４によって覆われた廃棄物１３の好気性分解による安定化を阻害することなく、廃棄物１３の埋立て作業を行ってゆくことが可能になる。
【００３６】
なお、埋め立て作業が行われる区画２０’への廃棄物１３や各種の重機の搬入は、遮水シート１４を防護しつつこれの上方に設けた工事用の仮設道路を介して容易に行うことができる。
【００３７】
また、上層への破棄物１３の埋め立て作業は、全ての区画２０における下層の埋め立て作業の完了を待って行う必要は必ずしもなく、例えば任意の列の区画２０を複数層先行して埋め立て作業を行ってゆくこともできる。
【００３８】
さらに、埋め立て作業によって生じる隣接する区画２０との間の段差部には、法面を形成するとともに、この法面にも遮水シート１４を展開敷設しておく（図４参照）。
【００３９】
そして、この実施形態によれば、浸透することなく遮水シート１４上を流下した後、配水施設を通過する雨水を回収して、処分場１０内の廃棄物１３に循環させることもでき、これによって廃棄物１３の分解を促進することができるとともに、周囲の河川などに放流することなく、処分場１０内において、全ての雨水を処理することも可能になる。
【００４０】
なお、この発明は、上記実施形態の実施の態様のものに限定されるものではなく、各請求項に記載された構成の範囲内において種々に変更して採用することができる。例えば、遮水シート１７として、通気性を有するものを使用する必要は必ずしもなく、また、各区画２０の側辺部には排水溝１５を設ける必要は必ずしもない。
【００４１】
【発明の効果】
以上、詳細に説明したように、この発明の廃棄物処分場における廃棄物の埋立て方法によれば、廃棄物処分場に廃棄物を埋め立ててゆく際に、廃棄物処分場の各区画において、各埋立て層の埋立て作業が終了した後に、その区画の表面に遮水シートを展開敷設して廃棄物を覆うことになるので、廃棄物処分場に埋め立てられた廃棄物の表面の略全域を遮水シートによって覆うことができる。
また、さらに上層に廃棄物を埋め立ててゆく際には、他の区画の廃棄物を遮水シートで覆った状態で、埋立て作業を行うべき区画の遮水シートを一時撤去して埋立て作業を行い、埋立て作業が終了した後に、再びその区画の表面に遮水シートを展開敷設して廃棄物を覆うことになり、このような作業を各区間において繰り返すことにより、廃棄物を上層に向かって廃棄物処分場の全域に亘って埋めてゆくことができる。
従って、廃棄物処分場に雨水が降り注いだ場合であっても、その雨水の大部分を廃棄物中に浸透させることになく、下り勾配の遮水シートの表面及び排水路に沿って流下させることができるので、処分場に降り注いだ雨水の水処理施設による処理量を低減することができる。
また、遮水シートは、その側辺部分が排水路に係止されているので、強風等によって遮水シートが剥がされるのを防止でき、天候に左右されることなく、雨水が廃棄物中に浸透するのを防止できる。
さらに、下り勾配の上流側の区画の埋立て層と下流側の区画の埋立て層との間に段差が生じた場合には、両区画の排水路間を連通路によって接続することにより、その段差を解消することができるので、排水路に沿って雨水をスムーズに流下させることができる。
【００４２】
さらに、遮水シートとして、通気性を有する遮水シートを使用することにより、遮水シートによって覆われた廃棄物から発生するガスを容易に放出することができるとともに、外部の空気を内部に取り入れることができるので、好気性分解による安定化を阻害することなく廃棄物の埋立て作業を行ってゆくことができる。
【図面の簡単な説明】
【図１】この発明の一実施形態にかかる廃棄物の埋立て方法を採用した廃棄物処分場の一例を示す概略断面図である。
【図２】この発明の一実施形態にかかる廃棄物の埋立て方法を説明する概念図である。
【図３】各区画に遮水シートを一時撤去可能に展開敷設する状況を示す説明図である。
【図４】排水路を連通路によって接続することにより排水路の段差を解消する状況を示す説明図である。
【符号の説明】
１０  廃棄物処分場
１２  主堰堤
１３  廃棄物
１４  遮水シート
１５  排水溝（排水路）
１７  排水トンネル
１８  マンホール
２０，２０’  区画
２８  連通溝（連通路）
【図１】
0003944956.tif 000002
【図２】
0003944956.tif 000003
【図３】
0003944956.tif 000004
【図４】
0003944956.tif 000005